(57)【要約】【課題】シールドケーブルの芯線と接続されるコンタクトを互いに接続されるコネクタ双方において良好にシールドし、インピーダンス整合させやすくする。【解決手段】基板６１上に実装される基板コネクタ２００と、シールドケーブル４１と非シールドケーブル４２の両端末に取り付けられて基板コネクタ２００と接続されるケーブルコネクタ１００とを具備するコネクタにおいて、ケーブルコネクタ１００はシールドケーブル４１及び非シールドケーブル４２の各芯線とそれぞれ接続されるコンタクト２６を有し、シールドケーブル４１の芯線と接続されるコンタクト２６のみを囲むシールドシェル３０を備え、基板コネクタ２００はケーブルコネクタ１００の各コンタクト２６とそれぞれ接続される基板コンタクト５２を有し、シールドシェル３０で囲まれたコンタクト２６と接続される基板コンタクト５２のみを囲むシールドシェル５３を備える。【選択図】図６
2015041587.tif 000002
【特許請求の範囲】
【請求項１】
基板上に実装される基板コネクタと、シールドケーブルと非シールドケーブルの両端末に取り付けられて前記基板コネクタと接続されるケーブルコネクタとを具備するコネクタであって、
前記ケーブルコネクタは、前記シールドケーブル及び前記非シールドケーブルの各芯線とそれぞれ接続されるコンタクトを有し、前記シールドケーブルの芯線と接続されるコンタクトのみを囲むシールドシェルを備えており、
前記基板コネクタは、前記ケーブルコネクタの各コンタクトとそれぞれ接続される基板コンタクトを有し、前記シールドシェルで囲まれたコンタクトと接続される基板コンタクトのみを囲むシールドシェルを備えていることを特徴とするコネクタ。
【請求項２】
請求項１記載のコネクタにおいて、
前記基板に取り付けられるハウジングを備え、
前記ハウジングは、前記ケーブルコネクタの挿入嵌合部が嵌合される筒状部と、前記ケーブルコネクタの突起が引っかかる窓部とを有し、前記基板コネクタに対して前記ケーブルコネクタを案内して抜け止めすることを特徴とするコネクタ。
【請求項３】
請求項１記載のコネクタにおいて、
前記基板が収容されるケースの開口に位置されて前記ケースに取り付けられるハウジングを備え、
前記ハウジングは、前記ケーブルコネクタの挿入嵌合部が嵌合される筒状部と、前記ケーブルコネクタの突起が引っかかる窓部とを有し、前記基板コネクタに対して前記ケーブルコネクタを案内して抜け止めすることを特徴とするコネクタ。
【請求項４】
請求項１記載のコネクタにおいて、
前記ケーブルコネクタと前記基板コネクタは中継コネクタを介して接続されることを特徴とするコネクタ。
【請求項５】
請求項４記載のコネクタにおいて、
前記中継コネクタは中継コンタクトとリアケースとハウジングとを備え、
前記コンタクトと前記基板コンタクトは前記中継コンタクトを介して接続され、
前記リアケースは前記基板が収容されるケースの開口に位置されて前記ケースに取り付けられ、
前記ハウジングは、前記ケーブルコネクタの挿入嵌合部が嵌合される筒状部と、前記ケーブルコネクタの突起が引っかかる窓部とを有し、前記リアケース上に固定されていることを特徴とするコネクタ。
【請求項６】
請求項５記載のコネクタにおいて、
前記中継コンタクトは前記筒状部の内部底面から突出されており、
前記筒状部の内部底面が樹脂封止されていることを特徴とするコネクタ。
【請求項７】
請求項２、３、５、６のいずれかに記載のコネクタにおいて、
前記シールドケーブル及び前記非シールドケーブルが引き出されている前記ケーブルコネクタの後端及び前記挿入嵌合部の回りにそれぞれ防水部材が取り付けられていることを特徴とするコネクタ。
【請求項８】
請求項１乃至７のいずれかに記載のコネクタにおいて、
前記基板コネクタは前記基板に表面実装されていることを特徴とするコネクタ。
【発明の詳細な説明】
【技術分野】
【０００１】
この発明はシールドケーブルと非シールドケーブルを一括して接続するために用いるコネクタに関する。
【背景技術】
【０００２】
図２８はこの種のコネクタの従来例として特許文献１に記載されている構成を示したものであり、図２８Ａはシールドケーブルと非シールドケーブルが取り付けられたターミナルハウジングを示し、図２８Ｂはターミナルハウジングを挿着させるコネクタハウジングを示す。
【０００３】
ターミナルハウジング１はシールドケーブル２用のシールドターミナル３と、非シールドケーブル４用の非シールドターミナル５を備えており、シールドターミナル３は芯線ターミナル３ａの周囲を絶縁材３ｂを介して外部導体ターミナル３ｃで覆って形成されている。芯線ターミナル３ａには接触部３ｄが形成され、基部はシールドケーブル２の芯線２ａに固定され、電気的に接続されている。また、外部導体ターミナル３ｃの先端には接触部３ｅが形成され、基部はシールドケーブル２の外部導体２ｂに固定され、電気的に接続されている。
【０００４】
非シールドケーブル４が取り付けられる非シールドターミナル５はシールドターミナル３の芯線ターミナル３ａと同様のもので、接触部５ａが形成されている。
【０００５】
シールドターミナル３と非シールドターミナル５はターミナルハウジング１のシールドターミナル挿着穴６と非シールドターミナル挿着穴７にそれぞれ挿着されている。ターミナルハウジング１の上部には係止片８が設けられ、係止片８には係止凸部８ａが形成されている。
【０００６】
コネクタハウジング１１はターミナル取付穴１２と引出しターミナル１３〜１５を備えている。引出しターミナル１３，１５は棒状をなし、コネクタハウジング１１の後部からターミナル取付穴１２内へ突出した状態で設けられている。引出しターミナル１４は板状をなし、ターミナル取付穴１２の後部内面に添った状態で設けられている。引出しターミナル１４には引出しターミナル１３を接触させずに貫通させる穴１４ａがあけられ、後面にはリード１４ｂが接続されている。コネクタハウジング１１の上部には係止穴１６が設けられ、係止穴１６内には係止凹部１６ａが形成されている。
【０００７】
ターミナルハウジング１はコネクタハウジング１１のターミナル取付穴１２に嵌め込まれる。ターミナルハウジング１の係止片８はコネクタハウジング１１の係止穴１６内に挿入され、係止片８の係止凸部８ａは係止穴１６内の係止凹部１６ａに係合する。コネクタハウジング１１の引出しターミナル１３はターミナルハウジング１の芯線ターミナル３ａの接触部３ｄと接触し、引出しターミナル１４は外部導体ターミナル３ｃの接触部３ｅと接触した状態となる。また、引出しターミナル１５は非シールドターミナル５の接触部５ａと接触した状態となる。
【０００８】
図２８に示したコネクタは上述したように、シールドケーブル２と非シールドケーブル４に対応し、両種のケーブル２，４を一体化した状態で着脱させることができるものとなっている。
【先行技術文献】
【特許文献】
【０００９】
【特許文献１】特開平４−３４５７７８号公報
【発明の概要】
【発明が解決しようとする課題】
【００１０】
上述したターミナルハウジング１ではシールドケーブル２の芯線２ａと接続される芯線ターミナル３ａは外部導体ターミナル３ｃによって囲まれてシールドされている。また、ターミナルハウジング１がコネクタハウジング１１に挿着された状態では、芯線ターミナル３ａと接触するコネクタハウジング１１の引出しターミナル１３もターミナル取付穴１２内に突出している部分は外部導体ターミナル３ｃによって囲まれるため、シールドされることになる。しかしながら、引出しターミナル１３の、コネクタハウジング１１の後部からラントアングル状をなして突出している部分は、全くシールドされていないため、インピーダンスの不整合が生じており、例えば伝送される信号が高速（高周波）になった場合には伝送特性の悪化は否めない。
【００１１】
この発明の目的はこの問題に鑑み、シールドケーブルと非シールドケーブルを一括して接続するコネクタにおいて、シールドケーブルの芯線と接続されるコンタクトを互いに接続されるコネクタ双方においてそれぞれシールドしてインピーダンス整合を行いやすいようにし、よって良好な伝送特性が得られるようにしたコネクタを提供することにある。
【課題を解決するための手段】
【００１２】
請求項１の発明によれば、基板上に実装される基板コネクタと、シールドケーブルと非シールドケーブルの両端末に取り付けられて基板コネクタと接続されるケーブルコネクタとを具備するコネクタにおいて、ケーブルコネクタはシールドケーブル及び非シールドケーブルの各芯線とそれぞれ接続されるコンタクトを有し、シールドケーブルの芯線と接続されるコンタクトのみを囲むシールドシェルを備え、基板コネクタはケーブルコネクタの各コンタクトとそれぞれ接続される基板コンタクトを有し、シールドシェルで囲まれたコンタクトと接続される基板コンタクトのみを囲むシールドシェルを備えているものとされる。
【００１３】
請求項２の発明では請求項１の発明において、基板に取り付けられるハウジングを備え、ハウジングはケーブルコネクタの挿入嵌合部が嵌合される筒状部と、ケーブルコネクタの突起が引っかかる窓部とを有し、基板コネクタに対してケーブルコネクタを案内して抜け止めするものとされる。
【００１４】
請求項３の発明では請求項１の発明において、基板が収容されるケースの開口に位置されてケースに取り付けられるハウジングを備え、ハウジングはケーブルコネクタの挿入嵌合部が嵌合される筒状部と、ケーブルコネクタの突起が引っかかる窓部とを有し、基板コネクタに対してケーブルコネクタを案内して抜け止めするものとされる。
【００１５】
請求項４の発明では請求項１の発明において、ケーブルコネクタと基板コネクタは中継コネクタを介して接続されるものとされる。
【００１６】
請求項５の発明では請求項４の発明において、中継コネクタは中継コンタクトとリアケースとハウジングとを備え、コンタクトと基板コンタクトは中継コンタクトを介して接続され、リアケースは基板が収容されるケースの開口に位置されてケースに取り付けられ、ハウジングはケーブルコネクタの挿入嵌合部が嵌合される筒状部と、ケーブルコネクタの突起が引っかかる窓部とを有し、リアケース上に固定されているものとされる。
【００１７】
請求項６の発明では請求項５の発明において、中継コンタクトは前記筒状部の内部底面から突出されており、前記筒状部の内部底面が樹脂封止されているものとされる。
【００１８】
請求項７の発明では請求項２、３、５、６のいずれかの発明において、シールドケーブル及び非シールドケーブルが引き出されているケーブルコネクタの後端及び前記挿入嵌合部の回りにそれぞれ防水部材が取り付けられているものとされる。
【００１９】
請求項８の発明では請求項１乃至７のいずれかの発明において、基板コネクタは基板に表面実装されているものとされる。
【発明の効果】
【００２０】
この発明によれば、シールドケーブルの芯線と接続されるケーブルコネクタのコンタクトはシールドシェルによって囲まれてシールドされており、ケーブルコネクタのシールドシェルによって囲まれているコンタクトと接続される基板コネクタの基板コンタクトも基板コネクタのシールドシェルによって囲まれてシールドされている。よって、インピーダンス整合を行いやすく、良好な伝送特性を得ることができ、高速信号も低損失で伝送することができる。
【図面の簡単な説明】
【００２１】
【図１】Ａはこの発明によるコネクタの実施例１におけるケーブルコネクタの正面図、Ｂはその側面図、Ｃはその背面図、Ｄ，Ｅはその斜視図。
【図２】図１に示したケーブルコネクタの断面図。
【図３】図１に示したケーブルコネクタの前方側から見た分解斜視図。
【図４】図１に示したケーブルコネクタの後方側から見た分解斜視図。
【図５】Ａはこの発明によるコネクタの実施例１における基板コネクタの正面図、Ｂはその側面図、Ｃはその背面図、Ｄ，Ｅはその斜視図、Ｆはその断面図。
【図６】Ａは図５に示した基板コネクタの斜め上方から見た分解斜視図、Ｂは図５に示した基板コネクタの斜め下方から見た分解斜視図。
【図７】Ａはこの発明によるコネクタの実施例１の構成を示す斜め上方から見た分解斜視図、Ｂはこの発明によるコネクタの実施例１の構成を示す斜め下方から見た分解斜視図。
【図８】Ａは図７に示した基板に基板コネクタ、ハウジングが取り付けられた状態を示す平面図、Ｂはその斜視図。
【図９】Ａはこの発明によるコネクタの実施例１の接続状態を示す斜め上方から見た斜視図、Ｂはこの発明によるコネクタの実施例１の接続状態を示す斜め下方から見た斜視図。
【図１０】図９に示したコネクタの接続状態の断面図。
【図１１】この発明によるコネクタの実施例１の構成を示す斜視断面図。
【図１２】Ａはこの発明によるコネクタの実施例２の構成を示す斜め上方から見た分解斜視図、Ｂはこの発明によるコネクタの実施例２の構成を示す斜め下方から見た分解斜視図。
【図１３】Ａは図１２に示したケースに基板、基板コネクタ、ハウジングが取り付けられた状態を示す平面図、Ｂはその斜視図。
【図１４】Ａはこの発明によるコネクタの実施例２の接続状態を示す斜め上方から見た斜視図、Ｂはこの発明によるコネクタの実施例２の接続状態を示す斜め下方から見た斜視図。
【図１５】図１４に示したコネクタの接続状態の断面図。
【図１６】この発明によるコネクタの実施例２の構成を示す斜視断面図。
【図１７】Ａはこの発明によるコネクタの実施例３における中継コネクタの平面図、Ｂはその正面図、Ｃはその底面図、Ｄ，Ｅはその斜視図。
【図１８】図１７に示した中継コネクタの断面図。
【図１９】Ａは図１７に示した中継コネクタの斜め上方から見た分解斜視図、Ｂは図１７に示した中継コネクタの斜め下方から見た分解斜視図。
【図２０】Ａは図１９に示したコンタクト組立体の正面図、Ｂはその側面図、Ｃはその背面図、Ｄ，Ｅはその斜視図。
【図２１】Ａは図２０に示したコンタクト組立体の斜め上方から見た分解斜視図、Ｂは図２０に示したコンタクト組立体の斜め下方から見た分解斜視図。
【図２２】Ａはこの発明によるコネクタの実施例３における基板コネクタの正面図、Ｂはその側面図、Ｃはその背面図、Ｄ，Ｅはその斜視図、Ｆはその断面図。
【図２３】Ａは図２２に示した基板コネクタの斜め上方から見た分解斜視図、Ｂは図２２に示した基板コネクタの斜め下方から見た分解斜視図。
【図２４】Ａはこの発明によるコネクタの実施例３の構成を示す斜め上方から見た分解斜視図、Ｂはこの発明によるコネクタの実施例３の構成を示す斜め下方から見た分解斜視図。
【図２５】Ａはこの発明によるコネクタの実施例３の接続状態を示す斜め上方から見た斜視図、Ｂはこの発明によるコネクタの実施例３の接続状態を示す斜め下方から見た斜視図。
【図２６】図２５に示したコネクタの接続状態の断面図。
【図２７】この発明によるコネクタの実施例３の構成を示す斜視断面図。
【図２８】Ａは従来の互いに接続されるコネクタの一方の構成を示す断面図、ＢはＡと接続される他方の構成を示す断面図。
【発明を実施するための形態】
【００２２】
以下、この発明の実施形態を図面を参照して実施例により説明する。
【実施例１】
【００２３】
シールドケーブルと非シールドケーブルを一括して接続するコネクタは、この例ではシールドケーブルと非シールドケーブルの両端末に取り付けられるケーブルコネクタと、基板上に実装される基板コネクタとによって構成される。
【００２４】
図１はケーブルコネクタ１００の外観を示したものであり、図２はその断面構造を示したものである。また、図３及び４はケーブルコネクタ１００を各部に分解して示したものである。ケーブルコネクタ１００は図３及び４に示したように、外部ハウジング２１と内部ハウジング２２，２３とケーブルホルダ２４，２５とコンタクト２６とシェル２７とカバーシェル２８とシールゴム３１とフロントキャップ３２とグロメット３３とリテーナ３４とによって構成されている。なお、図３及び４中、４１はシールドケーブルを示し、４２は非シールドケーブル（ディスクリートワイヤ）を示す。
【００２５】
内部ハウジング２２，２３はそれぞれコンタクト２６を整列保持するもので樹脂製とされる。
【００２６】
内部ハウジング２２は基部２２ａと、基部２２ａから前方に突出された舌片部２２ｂと、基部２２ａの幅方向両端から後方に突出された一対の腕部２２ｃと、それら腕部２２ｃ間を基部２２ａ側において連結する板状部２２ｄとよりなる。舌片部２２ｂにはその突出方向に平行に、この例では４本の溝２２ｅが形成されており、これら溝２２ｅは基部２２ａに形成された穴２２ｆをそれぞれ介して板状部２２ｄまで延伸されている。なお、一対の腕部２２ｃの先端側の互いに対向する内面には凹部２２ｇがそれぞれ形成されている。
【００２７】
内部ハウジング２３も内部ハウジング２２と同様の構成とされ、基部２３ａと舌片部２３ｂと一対の腕部２３ｃと板状部２３ｄとよりなり、４本の溝２３ｅ、４つの穴２３ｆ、一対の凹部２３ｇが形成されている。
【００２８】
コンタクト２６は短冊状の金属板よりなり、長手方向中間の圧入部２６ａにはその幅方向両側に圧入用の突起２６ｂが突出形成されている。圧入部２６ａより前方側は曲げ起こされて可動接片２６ｃとされ、その先端には接点部２６ｄが円弧状をなすように曲げ返されて形成されている。
【００２９】
内部ハウジング２２，２３にはそれぞれ４本のコンタクト２６が取り付けられる。内部ハウジング２２，２３の穴２２ｆ，２３ｆにそれぞれコンタクト２６の圧入部２６ａが圧入され、溝２２ｅ及び２３ｅにそれぞれコンタクト２６が配置される。
【００３０】
内部ハウジング２２に圧入されたコンタクト２６の後端にはシールドケーブル４１の芯線が接続され、内部ハウジング２３に圧入されたコンタクト２６の後端には非シールドケーブル４２の芯線が接続される。
【００３１】
ケーブルコネクタ１００の後端側に配置されるグロメット３３及びリテーナ３４にはそれぞれシールドケーブル４１挿通用の穴３３ａ及び３４ａと非シールドケーブル４２挿通用の穴３３ｂ及び３４ｂが形成されている。非シールドケーブル４２挿通用の穴３３ｂ，３４ｂはそれぞれ４つ形成されている。この例では１本のシールドケーブル４１と４本の非シールドケーブル４２が取り付けられる。
【００３２】
シールドケーブル４１はリテーナ３４の穴３４ａ及びグロメット３３の穴３３ａに通される。シールドケーブル４１はこの例では２芯とされ、２本の信号電線４１ａを有するものとされている。これら信号電線４１ａはブロック状をなす樹脂製のケーブルホルダ２４に配列形成されている穴２４ａにそれぞれ挿通されて位置決めされる。なお、穴２４ａはこの例では４つ形成されており、内側に位置する２つの穴２４ａに信号電線４１ａが挿通される。
【００３３】
信号電線４１ａを保持したケーブルホルダ２４は内部ハウジング２２の一対の腕部２２ｃ間に圧入され、両端が一対の腕部２２ｃの凹部２２ｇに嵌め込まれて位置決め固定される。２本の信号電線４１ａの芯線４１ｂは内部ハウジング２２に整列保持されているコンタクト２６の後端にそれぞれ半田付けされて接続される。
【００３４】
内部ハウジング２２にはシェル２７が取り付けられる。シェル２７は金属板が曲げ加工されて形成されており、前方側半部２７ａは内部ハウジング２２を囲む角筒状をなす。後方側半部２７ｂは角筒の上面がない（上面が開放された）形状とされている。後方側半部２７ｂの後方にはさらに後方側半部２７ｂから突出延長されてかしめ部２７ｃが形成されている。
【００３５】
シェル２７のかしめ部２７ｃは図２では詳細図示を省略しているが、シールドケーブル４１の外被が除去されたシールドを囲んでシールドにかしめ付けられる。シェル２７の後方側半部２７ｂにはカバーシェル２８が取り付けられる。
【００３６】
カバーシェル２８は金属板が曲げ加工されて形成されており、シェル２７の後方側半部２７ｂの上面を蓋する形状とされている。カバーシェル２８は後方側にかしめ部２８ａを備えており、このかしめ部２８ａはシェル２７のかしめ部２７ｃの外側を囲むようにかしめ付けられる。
【００３７】
この例ではシェル２７とカバーシェル２８とによってシールドシェル３０が構成されており、シールドケーブル４１から導出された信号電線４１ａ及び内部ハウジング２２に保持されているコンタクト２６は、図２に示したようにそれらの全長に渡ってシェル２７とカバーシェル２８とよりなるシールドシェル３０によって囲まれる。
【００３８】
一方、４本の非シールドケーブル４２はリテーナ３４の穴３４ｂ及びグロメット３３の穴３３ｂに通される。４本の非シールドケーブル４２はケーブルホルダ２４と同じ構造のケーブルホルダ２５の穴２５ａにそれぞれ挿通されて位置決めされる。
【００３９】
４本の非シールドケーブル４２を保持したケーブルホルダ２５は内部ハウジング２３の一対の腕部２３ｃ間に圧入され、両端が一対の腕部２３ｃの凹部２３ｇに嵌め込まれて位置決め固定される。４本の非シールドケーブル４２の各芯線４２ａは内部ハウジング２３に整列保持されているコンタクト２６の後端にそれぞれ半田付けされて接続される。
【００４０】
内部ハウジング２３及びシールドシェル３０が取り付けられた内部ハウジング２２は外部ハウジング２１に挿入されて、外部ハウジング２１の前端側の挿入嵌合部２１ａ内に位置される。
【００４１】
外部ハウジング２１はケーブルコネクタ１００の外形を構成するもので、樹脂製とされ、全体として角が丸められた角筒形状をなす。前方側は挿入嵌合部２１ａとされ、挿入嵌合部２１ａ内には内部ハウジング２３及びシールドシェル３０が取り付けられた内部ハウジング２２を収容保持する空間が仕切り壁２１ｂによって形成されている。内部ハウジング２２及び２３の前端は挿入嵌合部２１ａの前端に互いに隣接して位置される。
【００４２】
挿入嵌合部２１ａのまわりには所定の間隙を介して挿入嵌合部２１ａの外周を囲むように筒状部２１ｃが設けられている。さらに、筒状部２１ｃの外面には固定バネ片２１ｄが形成されている。固定バネ片２１ｄは外部ハウジング２１の前端から後端に向かって延伸され、後端側が自由端とされており、自由端には指で押圧操作することができる操作部２１ｅが形成されている。また、固定バネ片２１ｄの外面には突起２１ｆが突出形成されている。
【００４３】
外部ハウジング２１の後端にはグロメット３３及びリテーナ３４が順次押し込まれて取り付けられる。グロメット３３はゴムよりなる防水部材であって、グロメット３３によって外部ハウジング２１の後端は蓋される。
【００４４】
リテーナ３４はグロメット３３の外側に位置され、その周面の互いに対向する位置に形成された一対の凸部３４ｃが外部ハウジング２１の後端に形成された一対の切り欠き２１ｇに位置決めされ、一対の凸部３４ｃが対向する方向と直交する方向において周面の互いに対向する位置に形成された一対の固定バネ片３４ｄが外部ハウジング２１に形成された一対の窓２１ｈに引っかかり固定される。これにより、リテーナ３４は外部ハウジング２１の後端に固定される。なお、リテーナ３４の内面に突出形成されている４本の棒状体３４ｅは内部ハウジング２２及び２３を押さえ込むもので、先端が内部ハウジング２２及び２３の後端面に当接される。
【００４５】
一方、外部ハウジング２１の挿入嵌合部２１ａのまわりにはシールゴム３１が挿着される。シールゴム３１は防水部材であって、挿入嵌合部２１ａと、挿入嵌合部２１ａを囲む筒状部２１ｃ間の間隙に位置される。挿入嵌合部２１ａの前端にはシールゴム３１の脱落止め用としてフロントキャップ３２が取り付けられる。フロントキャップ３２の内面には一対の固定バネ片３２ａが設けられており、これら固定バネ片３２ａが挿入嵌合部２１ａの前端の段部２１ｉに引っかかることでフロントキャップ３２が外部ハウジング２１に固定される。フロントキャップ３２及びリテーナ３４は樹脂製とされる。
【００４６】
次に、上記のような構成を有するケーブルコネクタ１００と接続される基板コネクタの構成について説明する。
【００４７】
図５は基板コネクタ２００の外観及び断面構造を示したものであり、図６は基板コネクタ２００を各部に分解して示したものである。基板コネクタ２００はボディ５１と基板コンタクト５２とシールドシェル５３とによって構成されている。
【００４８】
ボディ５１は基板コンタクト５２を整列保持するもので樹脂製とされる。ボディ５１は基台部５１ａと、基台部５１ａ上に突出形成された一対の垂直板部５１ｂ，５１ｃとよりなる。一対の垂直板部５１ｂ，５１ｃの互いの外面には垂直板部５１ｂ，５１ｃの突出方向と平行に溝５１ｄがそれぞれ形成されている。溝５１ｄは垂直板部５１ｂ，５１ｃにそれぞれ４本形成されている。
【００４９】
基台部５１ａにおける各溝５１ｄの延長上にはスリット５１ｅがそれぞれ形成されている。スリット５１ｅは溝５１ｄの断面形状と同じ断面形状を有するものとされている。さらに、基台部５１ａにおける垂直板部５１ｂの内面の延長上にはスリット５１ｆが形成されている。
【００５０】
基台部５１ａの下面には凹部５１ｇが形成されている。凹部５１ｇには仕切り壁５１ｈが形成されており、仕切り壁５１ｈはスリット５１ｅの長手方向において隣接するスリット５１ｅ間に位置するように形成されている。
【００５１】
基板コンタクト５２は短冊状の金属板がＬ字状に折り曲げられた形状とされ、Ｌ字の一辺をなす垂直部５２ａの根元部分は圧入部５２ｂとされ、圧入部５２ｂにはその幅方向両側に圧入用の突起５２ｃが突出形成されている。
【００５２】
基板コンタクト５２は圧入部５２ｂがボディ５１のスリット５１ｅに圧入されてボディ５１に取り付けられ、垂直部５２ａは垂直板部５１ｂ，５１ｃの溝５１ｄに配置される。ボディ５１には計８本の基板コンタクト５２が取り付けられる。垂直板部５１ｂと５１ｃに配列された基板コンタクト５２のＬ字の他辺をなす水平部５２ｄは互いに外向きとされて基台部５１ａの凹部５１ｇに位置され、先端は基台部５１ａから突出されている。
【００５３】
シールドシェル５３は金属板が曲げ加工されて形成されており、ボディ５１の一方の垂直板部５１ｂを囲む角筒状とされている。シールドシェル５３の一端側における互いに対向する短辺部分には脚部５３ａが突出延長されてそれぞれ形成されており、一対の脚部５３ａの先端は互いに外向きに折り曲げられている。また、シールドシェル５３の一端側における一方の長辺部分はボディ５１のスリット５１ｆの長さに対応する幅とされてスリット５１ｆに圧入される圧入部５３ｂとされており、幅方向両側には圧入用の突起５３ｃが突出形成されている。
【００５４】
シールドシェル５３は圧入部５３ｂがボディ５１のスリット５１ｆに圧入されて垂直板部５１ｂを囲むようにボディ５１に取り付けられる。垂直板部５１ｂに配列されている基板コンタクト５２と対向するシールドシェル５３の一面は基板コンタクト５２と離間されており、基板コンタクト５２との間には所定の空間が設けられている。
【００５５】
図７は上述したケーブルコネクタ１００及び基板コネクタ２００と共に、基板コネクタ２００が実装される基板６１及び基板６１に取り付けられるハウジング６２を示したものである。
【００５６】
基板６１には基板コネクタ２００の各基板コンタクト５２が半田付けされる８つの電極パターン６１ａ及び基板コネクタ２００のシールドシェル５３の一対の脚部５３ａが半田付けされる２つのＧＮＤ電極パターン６１ｂが形成されている。基板コネクタ２００はリフロー半田により基板６１に表面実装される。
【００５７】
ハウジング６２は樹脂製とされ、筒状部６２ａと、筒状部６２ａの一端に設けられた方形のフランジ６２ｂと、フランジ６２ｂの一辺に筒状部６２ａと並ぶように立設された側壁部６２ｃとよりなる。筒状部６２ａはケーブルコネクタ１００の挿入嵌合部２１ａの外形に対応する角が丸められた角筒形状をなす。側壁部６２ｃの上端にはケーブルコネクタ１００の突起２１ｆが引っかかる方形の窓部６２ｄが形成されている。
【００５８】
ハウジング６２は基板６１に実装された基板コネクタ２００を取り囲むように基板６１に取り付けられる。取り付けはねじ６３とナット６４を使用して行われる。ハウジング６２のフランジ６２ｂ及び基板６１にはそれぞれ４つの穴６２ｅ，６１ｃが形成されており、これら穴６２ｅ，６１ｃに４本のねじ６３が挿通され、ナット６４が締結されてハウジング６２が基板６１にねじ止め固定される。
【００５９】
図８は基板６１に基板コネクタ２００が実装され、さらにハウジング６２が取り付けられた状態を示したものであり、基板コネクタ２００はハウジング６２の筒状部６２ａ内の中央に位置される。
【００６０】
図９は上記のようにして基板６１に取り付けられた基板コネクタ２００にケーブルコネクタ１００が接続された状態を示したものであり、図１０はその断面を示したものである。
【００６１】
ケーブルコネクタ１００の挿入嵌合部２１ａはハウジング６２の筒状部６２ａに挿入嵌合され、ケーブルコネクタ１００の突起２１ｆはハウジング６２の窓部６２ｄに引っかかる。ハウジング６２は基板コネクタ２００に対してケーブルコネクタ１００を案内すると共に抜け止めする機能を有する。なお、ケーブルコネクタ１００を取り外す際はケーブルコネクタ１００の操作部２１ｅを指で押し込むことにより突起２１ｆの引っかかりを解除することができ、これによりケーブルコネクタ１００を引き抜くことができる。
【００６２】
ケーブルコネクタ１００を基板コネクタ２００に接続することにより、基板コネクタ２００の垂直板部５１ｂ，５１ｃはケーブルコネクタ２００の挿入嵌合部２１ａ内に挿入される。ケーブルコネクタ１００の８本のコンタクト２６の接点部２６ｄは垂直板部５１ｂ，５１ｃに配列されている基板コンタクト５２とそれぞれ接触し、ケーブルコネクタ１００の８本のコンタクト２６と基板コネクタ２００の８本の基板コンタクト５２が接続される。ケーブルコネクタ１００のシールドシェル３０によって囲まれているコンタクト２６は基板コネクタ２００のシールドシェル５３によって囲まれている基板コンタクト５２と接続される。また、基板コネクタ２００のシールドシェル５３も挿入嵌合部２１ａ内に挿入される。シールドシェル５３とケーブルコネクタ１００のシールドシェル３０は、シールドシェル３０を構成する一方のシェル２７に切り起こされて設けられている接触片２７ｄがシールドシェル５３と接触して導通される。
【００６３】
図１１はケーブルコネクタ１００に収容されているシールドシェル３０と基板コネクタ２００のシールドシェル５３との対応位置関係をハウジング６２と共にシールドシェル３０が露出するような断面で示したものである。
【００６４】
この例では上述したようにシールドケーブル４１の芯線４１ｂと接続されるケーブルコネクタ１００のコンタクト２６はシールドシェル３０によって囲まれて良好にシールドされ、シールドシェル３０によって囲まれたコンタクト２６と接続される基板コネクタ２００の基板コンタクト５２もシールドシェル５３によって囲まれて良好にシールドされるものとなっている。
【００６５】
以下、実施例２及び３について説明する。なお、実施例１と対応する部分には同一符号を付し、その詳細な説明を省略する。
【実施例２】
【００６６】
実施例１では基板コネクタ２００が実装される基板６１にハウジング６２が取り付けられる構成となっていたが、実施例２ではハウジングは基板が収容されるケースに取り付けられる構成とされる。
【００６７】
図１２は実施例２の構成を示したものであり、図１２中、６５は基板６１’が収容されるケースを示す。ケース６５内に配置される部品の図示は省略しているが、ケース６５は例えばカメラのケースとされる。ケース６５は直方体の筒状とされ、その内面の４隅には段部６５ａが形成されている。ケース６５の上面は開放されている。なお、ケース６５の下面には内部に配置されるレンズに対応して円形の窓部６５ｂが形成されている。
【００６８】
基板コネクタ２００はリフロー半田により基板６１’に表面実装され、基板コネクタ２００が実装された基板６１’がケース６５内に取り付けられる。基板６１’の取り付けは２本のねじ６６を使用して行われる。２本のねじ６６は基板６１’に形成された２つの穴６１ｃに挿通され、ケース６５の互いに対向する一対の段部６５ａに形成されているねじ穴（図１２では隠れて見えない）にねじ込まれ、これにより基板６１’がケース６５にねじ止め固定される。
【００６９】
ハウジング６２’はケース６５の上面の開口６５ｃを蓋するようにケース６５に取り付けられる。ハウジング６２’の取り付けは２本のねじ６３を使用して行われる。２本のねじ６３はハウジング６２’のフランジ６２ｂに形成された２つの穴６２ｅに挿通され、ケース６５の上面に形成されているねじ穴６５ｄにねじ込まれてハウジング６２’がケース６５にねじ止め固定される。なお、ケース６５の上面とハウジング６２’のフランジ６２ｂとの間にはＯリング６７が挟み込まれる。フランジ６２ｂの下面にはＯリング６７を位置決め配置するための溝６２ｆが形成されている。
【００７０】
図１３は上記のようにして基板コネクタ２００が実装された基板６１’及びハウジング６２’がケース６５に取り付けられた状態を示したものである。この例ではハウジング６２’は基板コネクタ２００に対してケーブルコネクタ１００を案内して抜け止めすると共に、ケース６５の蓋として機能するものとなっている。
【００７１】
図１４は図１３のように実装された基板コネクタ２００に実施例１と同様にケーブルコネクタ１００が接続された状態を示したものであり、図１５はその断面を示したものである。また、図１６は実施例１において図１１に示した断面と同様の断面を示したものである。なお、ケース６５内に配置される部品の図示は図１５においても省略している。
【００７２】
この例ではケーブルコネクタ１００及び基板コネクタ２００は実施例１と同じであって、シールドケーブル４１の芯線４１ｂと接続されるケーブルコネクタ１００のコンタクト２６及び基板コネクタ２００の基板コンタクト５２は良好にシールドされている。また、この例では図１４，１５に示したように基板コネクタ２００にケーブルコネクタ１００を接続した状態でケース６５内に対する防水構造が実現されるものとなっている。以下、この点について説明する。
【００７３】
シールドケーブル４１及び非シールドケーブル４２が引き出されているケーブルコネクタ１００の後端は前述したようにグロメット３３によって防水されている。また、ケース６５とハウジング６２’の間にはＯリング６７が挟み込まれて防水されている。さらに、ケーブルコネクタ１００の挿入嵌合部２１ａのまわりにはシールゴム３１が挿着されているため、挿入嵌合部２１ａがハウジング６２’の筒状部６２ａに挿入嵌合されると、シールゴム３１は筒状部６２ａと挿入嵌合部２１ａとの間に挟み込まれる状態となり、この部分が防水される。よって、この例では基板コネクタ２００にケーブルコネクタ１００を接続した状態でケース６５内への液体の浸入が阻止されるものとなっている。
【実施例３】
【００７４】
実施例３ではケーブルコネクタと基板コネクタは中継コネクタを介して接続されるものとされる。図１７は中継コネクタ３００の外観を示したものであり、図１８はその断面構造を示したものである。また、図１９は中継コネクタ３００を各部に分解して示したものである。
【００７５】
中継コネクタ３００は図１９に示したように、コンタクト組立体７０とリアケース８１とハウジング８２と絶縁板８３と接着剤８４と封止樹脂８５とによって構成される。なお、接着剤８４及び封止樹脂８５は構成要素として図１９では模式的に示している。
【００７６】
図２０は図１９におけるコンタクト組立体７０の詳細を示したものであり、図２１はコンタクト組立体７０を各部に分解して示したものである。コンタクト組立体７０はボディ７１と中継コンタクト７２とシールドシェル７３とによって構成されている。
【００７７】
ボディ７１は中継コンタクト７２を整列保持するもので樹脂製とされる。ボディ７１は一対の垂直板部７１ａ，７１ｂを有し、それらの上端が連結部７１ｃによって連結された構造とされている。一対の垂直板部７１ａ，７１ｂの互いに対向する内面には溝７１ｄがそれぞれ４本形成されており、連結部７１ｃにはこれら溝７１ｄとそれぞれ連通する８つの穴７１ｅが貫通形成されている。
【００７８】
中継コンタクト７２は短冊状の金属板より、長手方向中間の圧入部７２ａにはその幅方向両側に圧入用の突起７２ｂが突出形成されている。圧入部７２ａに対し、一端側は曲げ起こされて可動接片７２ｃとされ、その先端には接点部７２ｄが曲げ返されて形成されている。
【００７９】
中継コンタクト７２は圧入部７２ａがボディ７１の穴７１ｅに圧入されてボディ７１に取り付けられ、溝７１ｄに可動接片７２ｃがそれぞれ配置される。ボディ７１には計８本の中継コンタクト７２が取り付けられる。中継コンタクト７２の可動接片７２ｃと反対側の延伸部７２ｅはボディ７１上に突出される。
【００８０】
シールドシェル７３は金属板が曲げ加工されて形成されており、ボディ７１を囲む角筒状とされる。シールドシェル７３の一端側（上端側）における互いに対向する短辺部分には上方に向って延長された延長部７３ａが形成されており、さらに一方の長辺部分にも上方に向って延長された延長部７３ｂが形成されている。また、他方の長辺部分はやや幅狭とされ、この幅狭部７３ｃの幅方向両側には圧入用の突起７３ｄが形成されている。
【００８１】
シールドシェル７３はその幅狭部７３ｃがボディ７１の垂直板部７１ａの外面に突設された突部７１ｆに形成されたスリット７１ｇに圧入されてボディ７１に取り付けられる。シールドシェル７３の延長部７３ａ，７３ｂは中継コンタクト７２の延伸部７２ｅと同様、ボディ７１上に突出される。このようにコンタクト組立体７０はボディ７１に８本の中継コンタクト７２及びシールドシェル７３が圧入されて構成されている。
【００８２】
リアケース８１は金属材よりなり、例えばアルミニウム製とされる。リアケース８１は方形板状とされ、その中央には方形の開口８１ａが形成されている。下面側の周縁には前述した実施例２におけるケース６５の開口６５ｃの内周面に対応する形状の突出部８１ｂが全周に渡って形成されている。
【００８３】
コンタクト組立体７０はリアケース８１の開口８１ａに上方から圧入されて取り付けられる。コンタクト組立体７０のシールドシェル７３には固定用の爪７３ｅが形成されている。シールドシェル７３とリアケース８１とは爪７３ｅによって互いに固定されると共に導通される。
【００８４】
絶縁板８３には８本の中継コンタクト７２に対応する８つのスリット８３ａが形成されており、各スリット８３ａに中継コンタクト７２の延伸部７２ｅが通されて絶縁板８３はコンタクト組立体７０のボディ７１上に搭載される。
【００８５】
ハウジング８２は実施例１におけるハウジング６２と類似した構成とされ、筒状部８２ａとフランジ８２ｂと側壁部８２ｃとを有する。側壁部８２ｃの上端には窓部８２ｄが形成されている。筒状部８２ａの下端側はこの例では閉塞板部８２ｅによって閉塞されており、この閉塞板部８２ｅ上に一対の垂直板部８２ｆ，８２ｇが突出形成されている。
【００８６】
一対の垂直板部８２ｆ，８２ｇの互いの外面には垂直板部８２ｆ，８２ｇの突出方向と平行に溝８２ｈがそれぞれ形成されている。溝８２ｈは垂直板部８２ｆ，８２ｇにそれぞれ４本形成されている。閉塞板部８２ｅにおける各溝８２ｈの延長上にはスリット８２ｉがそれぞれ形成されている。これらスリット８２ｉにはコンタクト組立体７０の中継コンタクト７２が挿通される。なお、閉塞板部８２ｅにはさらにコンタクト組立体７０のシールドシェル７３の一対の延長部７３ａ及び幅広の延長部７３ｂがそれぞれ挿通されるスリット８２ｊ，８２ｋが形成されている。
【００８７】
上記のような構成を有するハウジング８２は接着剤８４によってリアケース８１上に固定される。なお、フランジ８２ｂの下面に突設されている４本のボス８２ｍはリアケース８１に貫通形成されている穴８１ｃに挿通されて先端が熱カシメされる。コンタクト組立体７０の８本の中継コンタクト７２の延伸部７２ｅはスリット８２ｉを通って閉塞板部８２ｅの上面（筒状部８２ａの内部底面）から突出され、ハウジング８２の垂直板部８２ｆ，８２ｇの溝８２ｈにそれぞれ位置される。また、シールドシェル７３の延長部７３ａ，７３ｂはスリット８２ｊ，８２ｋを通ってハウジング８２の筒状部８２ａの内部底面から突出される。
【００８８】
筒状部８２ａの内部には樹脂が注入され、筒状部８２ａの内部底面は封止樹脂８５によって封止される。中継コネクタ３００は上記のような構成を有するものとされる。なお、封止樹脂８５の回り込みを良くし、良好な防水構造を得るために垂直板部８２ｆ，８２ｇの根元部分における中継コンタクト７２が位置する部分には図１８に示したようにほり込み８２ｎが設けられている。絶縁板８３はこの部分を蓋するものとして機能する。
【００８９】
図２２は基板コネクタ２００’の外観及び断面構造を示したものであり、図２３は基板コネクタ２００’を各部に分解して示したものである。基板コネクタ２００’は実施例１の基板コネクタ２００と同様、ボディ５１’と８本の基板コンタクト５２とシールドシェル５３’によって構成されている。なお、ボディ５１’の一対の垂直板部５１ｂ，５１ｃの間隔は実施例１のボディ５１の一対の垂直板部５１ｂ，５１ｃの間隔より狭く、また角筒状をなすシールドシェル５３’の角筒の短辺部分の長さは実施例１のシールドシェル５３と比べて短かくされている。
【００９０】
図２４は実施例３の全体構成を示したものである。実施例２と同様、基板コネクタ２００’がリフロー半田により表面実装された基板６１’がケース６５内にねじ６６によりねじ止めされて取り付けられる。中継コネクタ３００はリアケース８１の下面の突出部８１ｂがケース６５の開口６５ｃに嵌め込まれ、開口６５ｃを蓋するようにケース６５に取り付けられる。中継コネクタ３００の取り付けは２本のねじ６３を使用して行われる。２本のねじ６３はリアケース８１に形成された２つの穴８１ｄに挿通され、ケース６５のねじ穴６５ｄにねじ込まれて中継コネクタ３００がケース６５にねじ止め固定される。この際、リアケース８１の下面の突出部８１ｂの回りにＯリング６７が配され、ケース６５の上面とリアケース８１との間にＯリング６７が挟み込まれる。
【００９１】
上記のように中継コネクタ３００を取り付けることにより、基板コネクタ２００’の一対の垂直板部５１ｂ，５１ｃ及びシールドシェル５３’は中継コネクタ３００のコンタクト組立体７０のシールドシェル７３内に挿入される。基板コンタクト５２は中継コンタクト７２とそれぞれ接触し、８本の基板コンタクト５２と８本の中継コンタクト７２が接続される。また、基板コネクタ２００’のシールドシェル５３’と中継コネクタ３００のシールドシェル７３は、シールドシェル７３に切り起こされて設けられている接触片７３ｆがシールドシェル５３’と接触して導通される。
【００９２】
ケーブルコネクタ１００は中継コネクタ３００に接続される。ケーブルコネクタ１００の挿入嵌合部２１ａは中継コネクタ３００のハウジング８２の筒状部８２ａに挿入嵌合され、ケーブルコネクタの突起２１ｆはハウジング８２の窓部８２ｄに引っかかる。ハウジング８２はケーブルコネクタ１００を案内すると共に抜け止めする機能を有する。
【００９３】
図２５は上記のようにケーブルコネクタ１００が中継コネクタ３００に接続された状態を示したものであり、図２６はその断面を示したものである。また、図２７は実施例１において図１１に示した断面と同様の断面を示したものである。
【００９４】
ケーブルコネクタ１００を中継コネクタ３００に接続することにより、中継コネクタ３００のハウジング８２の垂直板部８２ｆ，８２ｇはケーブルコネクタ１００の挿入嵌合部２１ａ内に挿入される。ケーブルコネクタ１００の８本のコンタクト２６の接点部２６ｄは垂直板部８２ｆ，８２ｇに配列されている中継コンタクト７２とそれぞれ接触し、ケーブルコネクタ１００の８本のコンタクト２６と中継コネクタ３００の８本の中継コンタクト７２が接続される。また、中継コネクタ３００のシールドシェル７３の延長部７３ａ，７３ｂはケーブルコネクタ１００のシールドシェル３０内に挿入され、シールドシェル３０を構成する一方のシェル２７に設けられている接触片２７ｄが延長部７３ａ，７３ｂと接触して導通される。
【００９５】
このようにこの例ではケーブルコネクタ１００と基板コネクタ２００’は中継コネクタ３００を介して接続されるものとなっており、ケーブルコネクタ１００のコンタクト２６は中継コネクタ３００の中継コンタクト７２を介して基板コネクタ２００’の基板コンタクト５２と接続される。
【００９６】
また、この例ではケース６５に取り付けられてケース６５の開口６５ｃを蓋する中継コネクタ３００のハウジング８２の筒状部８２ａの内部底面は封止樹脂８５によって封止されているため、中継コネクタ３００をケース６５に取り付けた状態で防水構造が実現され、ケース６５内への液体の浸入が阻止されるものとなっている。
【００９７】
なお、中継コネクタ３００のシールドシェル７３は、シールドケーブル４１の芯線４１ｂと接続されたケーブルコネクタ１００のコンタクト２６と接続される中継コンタクト７２のみを囲む構造とはなっていないが、基板コネクタ２００’、中継コネクタ３００及びケーブルコネクタ１００の三者が接続された状態ではこの囲まれていない部分はわずかであり、コネクタ接続状態ではケーブルコネクタ１００と基板コネクタ２００’の伝送路によってインピーダンスはほぼ決まる。
【００９８】
以上、この発明の実施例について説明したが、基板コネクタ２００，２００’は表面実装タイプであるため、例えば基板に搭載される他の電子部品と同時にリフロー半田付けすることができ、その点で組み立ては容易となる。
【００９９】
また、この発明によるコネクタはシールドされた伝送路とシールドされていない伝送路を有するものであって、実施例において例示したように、例えばカメラにおける制御信号と画像信号の伝送に好適なものであり、シールドされた伝送路で画像信号を伝送し、シールドされていない伝送路で制御信号を伝送することにより、画像信号に対する制御信号からのノイズを遮断することができ、信号の高速伝送を良好に行うことができる。なお、シールドを必要としない制御信号には安価な非シールドケーブル（ディスクリートワイヤ）が使用される。
【符号の説明】
【０１００】
１    ターミナルハウジング                  ２    シールドケーブル
２ａ    芯線                                ２ｂ    外部導体
３      シールドターミナル                  ３ａ    芯線ターミナル
３ｂ    絶縁材                              ３ｃ    外部導体ターミナル
３ｄ    接触部                              ３ｅ    接触部
４    非シールドケーブル                    ５    非シールドターミナル
５ａ    接触部                              ６    シールドターミナル挿着穴
７    非シールドターミナル挿着穴            ８    係止片
８ａ    係止凸部                            １１    コネクタハウジング
１２    ターミナル取付穴                    １３〜１５    引出しターミナル
１４ａ    穴                                １４ｂ    リード
１６    係止穴                              １６ａ    係止凹部
２１    外部ハウジング                      ２１ａ    挿入嵌合部
２１ｂ    仕切り壁                          ２１ｃ    筒状部
２１ｄ    固定バネ片                        ２１ｅ    操作部
２１ｆ    突起                              ２１ｇ    切り欠き
２１ｈ    窓                                ２１ｉ    段部
２２    内部ハウジング                      ２２ａ    基部
２２ｂ    舌片部                            ２２ｃ    腕部
２２ｄ    板状部                            ２２ｅ    溝
２２ｆ    穴                                ２２ｇ    凹部
２３    内部ハウジング                      ２３ａ    基部
２３ｂ    舌片部                            ２３ｃ    腕部
２３ｄ    板状部                            ２３ｅ    溝
２３ｆ    穴                                ２３ｇ    凹部
２４    ケーブルホルダ                      ２４ａ    穴
２５    ケーブルホルダ                      ２５ａ    穴
２６    コンタクト                          ２６ａ    圧入部
２６ｂ    突起                              ２６ｃ    可動接片
２６ｄ    接点部                            ２７    シェル
２７ａ    前方側半部                        ２７ｂ    後方側半部
２７ｃ    かしめ部                          ２７ｄ    接触片
２８    カバーシェル                        ２８ａ    かしめ部
３０    シールドシェル                      ３１    シールゴム
３２    フロントキャップ                    ３２ａ    固定バネ片
３３    グロメット                          ３３ａ，３３ｂ    穴
３４    リテーナ                            ３４ａ，３４ｂ    穴
３４ｃ    凸部                              ３４ｄ    固定バネ片
３４ｅ    棒状体                            ４１    シールドケーブル
４１ａ    信号電線                          ４１ｂ    芯線
４２    非シールドケーブル                  ４２ａ    芯線
５１，５１’    ボディ                      ５１ａ    基台部
５１ｂ，５１ｃ    垂直板部                  ５１ｄ    溝
５１ｅ，５１ｆ    スリット                  ５１ｇ    凹部
５１ｈ    仕切り壁                          ５２    基板コンタクト
５２ａ    垂直部                            ５２ｂ    圧入部
５２ｃ    突起                              ５２ｄ    水平部
５３，５３’    シールドシェル              ５３ａ    脚部
５３ｂ    圧入部                            ５３ｃ    突起
６１，６１’    基板                        ６１ａ    電極パターン
６１ｂ    ＧＮＤ電極パターン                ６１ｃ    穴
６２，６２’    ハウジング                  ６２ａ    筒状部
６２ｂ    フランジ                          ６２ｃ    側壁部
６２ｄ    窓部                              ６２ｅ    穴
６２ｆ    溝                                ６３    ねじ
６４    ナット                              ６５    ケース
６５ａ    段部                              ６５ｂ    窓部
６５ｃ    開口                              ６５ｄ    ねじ穴
６６    ねじ                                ６７    Ｏリング
７０    コンタクト組立体                    ７１    ボディ
７１ａ，７１ｂ    垂直板部                  ７１ｃ    連結部
７１ｄ    溝                                ７１ｅ    穴
７１ｆ    突部                              ７１ｇ    スリット
７２    中継コンタクト                      ７２ａ    圧入部
７２ｂ    突起                              ７２ｃ    可動接片
７２ｄ    接点部                            ７２ｅ    延伸部
７３    シールドシェル                      ７３ａ，７３ｂ    延長部
７３ｃ    幅狭部                            ７３ｄ    突起
７３ｅ    爪                                ７３ｆ    接触片
８１    リアケース                          ８１ａ    開口
８１ｂ    突出部                            ８１ｃ，８１ｄ    穴
８２    ハウジング                          ８２ａ    筒状部
８２ｂ    フランジ                          ８２ｃ    側壁部
８２ｄ    窓部                              ８２ｅ    閉塞板部
８２ｆ，８２ｇ    垂直板部                  ８２ｈ    溝
８２ｉ，８２ｊ，８２ｋ    スリット          ８２ｍ    ボス
８２ｎ    ほり込み                          ８３    絶縁板
８３ａ    スリット                          ８４    接着剤
８５    封止樹脂                            １００    ケーブルコネクタ
２００，２００’    基板コネクタ            ３００    中継コネクタ
【図１】
2015041587.tif 000003
【図２】
2015041587.tif 000004
【図３】
2015041587.tif 000005
【図４】
2015041587.tif 000006
【図５】
2015041587.tif 000007
【図６】
2015041587.tif 000008
【図７】
2015041587.tif 000009
【図８】
2015041587.tif 000010
【図９】
2015041587.tif 000011
【図１０】
2015041587.tif 000012
【図１１】
2015041587.tif 000013
【図１２】
2015041587.tif 000014
【図１３】
2015041587.tif 000015
【図１４】
2015041587.tif 000016
【図１５】
2015041587.tif 000017
【図１６】
2015041587.tif 000018
【図１７】
2015041587.tif 000019
【図１８】
2015041587.tif 000020
【図１９】
2015041587.tif 000021
【図２０】
2015041587.tif 000022
【図２１】
2015041587.tif 000023
【図２２】
2015041587.tif 000024
【図２３】
2015041587.tif 000025
【図２４】
2015041587.tif 000026
【図２５】
2015041587.tif 000027
【図２６】
2015041587.tif 000028
【図２７】
2015041587.tif 000029
【図２８】
2015041587.tif 000030